(57)【要約】【課題】  音量制御装置において、誤動作によって音量が増加又は減少される前のモータ駆動電圧を検出し音量の増加又は減少を防止する。【解決手段】  音量制御装置において、可変抵抗器と、可変抵抗器を駆動するモータと、音量の調整操作をするための操作手段と、モータの駆動を制御する制御手段と、モータの駆動電圧を検出する検出手段と、モータの駆動電圧を遮断する遮断手段と、基準電圧を記憶する基準電圧記憶手段と、検出手段が検出したモータの駆動電圧と基準電圧記憶手段が記憶した基準電圧とを比較する電圧比較手段とを備え、制御手段は、操作手段の音量の調整操作の入力及び制御手段によるモータの駆動制御が行われていないことを検出し、検出手段が検出したモータの駆動電圧が基準電圧記憶手段によって記憶された基準電圧以上である場合、遮断手段にモータの駆動電圧を遮断させる制御を行う。【選択図】      図１
2005175730.tif 000002
【特許請求の範囲】
【請求項１】
可変抵抗器と、前記可変抵抗器を駆動するモータと、音量の調整操作をするための操作手段と、モータの駆動を制御する制御手段と、モータの駆動電圧を検出する検出手段と、モータの駆動電圧を遮断する遮断手段と、基準電圧を記憶する基準電圧記憶手段と、前記検出手段が検出したモータの駆動電圧と前記基準電圧記憶手段が記憶した基準電圧とを比較する電圧比較手段とを備え、前記制御手段は、前記操作手段の音量の調整操作の入力及び前記制御手段によるモータの駆動制御が行われていないことを検出し、前記検出手段が検出したモータの駆動電圧が前記基準電圧記憶手段によって記憶された基準電圧以上である場合、前記遮断手段にモータの駆動電圧を遮断させる制御を行うことを特徴とする音量制御装置。
【請求項２】
可変抵抗器と、前記可変抵抗器を駆動するモータと、音量の調整操作をするための操作手段と、モータの駆動を制御する制御手段と、モータの駆動電圧を検出する検出手段と、モータの駆動電圧を遮断する遮断手段と、基準電圧として前記モータの駆動に要する最小電圧以下の電圧を記憶する基準電圧記憶手段と、前記検出手段が検出したモータの駆動電圧と前記基準電圧記憶手段が記憶した基準電圧とを比較する電圧比較手段とを備え、前記制御手段は、前記操作手段の音量の調整操作の入力及び前記制御手段によるモータの駆動制御が行われていないことを検出し、前記検出手段が検出したモータの駆動電圧が前記基準電圧記憶手段が記憶した基準電圧以上である場合、前記遮断手段にモータの駆動電圧を遮断させる制御を行うことを特徴とする音量制御装置。
【発明の詳細な説明】
【技術分野】
【０００１】
本発明は、オーディオ装置が出力する音量を制御する音量制御装置に関する。
【背景技術】
【０００２】
従来、手動でスライド操作や回転操作を行う操作手段と、前記操作手段に連動する可変抵抗器とを備え、前記可変抵抗器から前記操作手段の操作位置に応じた電圧を出力し、出力した電圧値に基づいて、ラジオ、テレビ装置等の出力音量を調整する音量制御装置があった(特許文献１参照)。また、前記操作手段をモータで駆動する音量制御装置があった。
【０００３】
操作手段をモータで駆動する音量制御装置において、モータの駆動回路の駆動信号線に配線接続用のハンダの屑が付着して他の信号線又は接地線と短絡すること等によってモータの駆動電圧が増加又は減少し、音量が増加又は減少する誤動作を起こすことがあった。この誤動作を防止するため、可変抵抗器に音量指示位置の検出器を取り付け、音量を調整する操作が行われていないときに前記検出器から音量指示位置の変化が検出された場合、モータの駆動回路の駆動信号出力を遮断する方法があった。
【０００４】
図２は、従来の音量制御装置の構成例を示すブロック図である。音量調整用可変抵抗器１は、音量を調整するための可変抵抗器である。モータ２は、音量調整用可変抵抗器１を駆動する。音量指示位置検出用可変抵抗器７は、可変抵抗器１と連動するようにモータ２の回転軸に取り付けられ、可変抵抗器１がモータ２によって駆動され音量指示位置が移動すると、音量指示位置検出用可変抵抗器７は連動し、音量指示位置の移動に応じて抵抗値が変化する。
【０００５】
駆動部３は、モータ２に駆動電圧を加える。制御部４は、マイクロコンピュータ(以下、マイコンと言う。)回路及びそのプログラムによって構成され、駆動部３を制御する。制御部４は、検出部４Ｄを備える。検出部４Ｄは、音量指示位置検出用可変抵抗器７に電圧を加え、抵抗値によって変化する出力電圧を検出する。操作入力部５は、音量の調整操作を行うための操作ボタンを備え、操作信号を制御部４に入力する。操作入力部５から入力される音量を調整するための操作信号に応じて、制御部４は、駆動部３を介してモータ２を駆動し音量調整用可変抵抗器１の抵抗値を制御する。
【０００６】
遮断部６は、トランジスタＴＲ１、ＴＲ２を備える。トランジスタＴＲ１、ＴＲ２は、それぞれ、駆動部３とモータ２とを接続する駆動信号線にコレクタが接続され、エミッタが接地されて、ベースが制御部４に接続される。制御部４がトランジスタＴＲ１、ＴＲ２に加えるベース電圧によって、トランジスタＴＲ１、ＴＲ２はスイッチング動作する。制御部４は、トランジスタＴＲ１、ＴＲ２のベースに電圧を加えることによって、駆動部３からモータ２に加えられる駆動電圧を遮断する。
【０００７】
制御部４に操作入力部５から音量を調整するための操作信号が入力されず、かつ制御部４が駆動部３にモータ付ボリューム１のモータに駆動電圧を加える制御を行っていない場合であって、音量指示位置検出用可変抵抗器７の出力電圧が変化した場合、制御部４は、遮断部６を制御して駆動部３からモータ２に加えられる駆動電圧を遮断する。
【０００８】
【特許文献１】特開２０００−１１４８９３号公報
【発明の開示】
【発明が解決しようとする課題】
【０００９】
従来の音量制御装置は、モータの誤動作を防止する場合、音量指示位置の検出器を取り付けていた。音量指示位置の検出器として、例えば、モータ２に音量指示位置検出用可変抵抗器７を取り付けていた。そのため、音量が増加又は減少する誤動作があった場合、誤動作によってモータが回転し音量が増加又は減少された後に、モータの駆動電圧を遮断していた。
本発明の目的は、音量制御装置において、誤動作によって音量が増加又は減少される前に、音量の増加又は減少の誤動作を起こすモータ駆動電圧を検出し音量の増加又は減少を防止する音量制御装置を提供することにある。
【課題を解決するための手段】
【００１０】
本発明の請求項１に記載の音量制御装置は、可変抵抗器と、前記可変抵抗器を駆動するモータと、音量の調整操作をするための操作手段と、モータの駆動を制御する制御手段と、モータの駆動電圧を検出する検出手段と、モータの駆動電圧を遮断する遮断手段と、基準電圧を記憶する基準電圧記憶手段と、前記検出手段が検出したモータの駆動電圧と前記基準電圧記憶手段が記憶した基準電圧とを比較する電圧比較手段とを備え、前記制御手段は、前記操作手段の音量の調整操作の入力及び前記制御手段によるモータの駆動制御が行われていないことを検出し、前記検出手段が検出したモータの駆動電圧が前記基準電圧記憶手段によって記憶された基準電圧以上である場合、前記遮断手段にモータの駆動電圧を遮断させる制御を行うものである。
【００１１】
本発明の請求項２に記載の音量制御装置は、可変抵抗器と、前記可変抵抗器を駆動するモータと、音量の調整操作をするための操作手段と、モータの駆動を制御する制御手段と、モータの駆動電圧を検出する検出手段と、モータの駆動電圧を遮断する遮断手段と、基準電圧として前記モータの駆動に要する最小電圧以下の電圧を記憶する基準電圧記憶手段と、前記検出手段が検出したモータの駆動電圧と前記基準電圧記憶手段が記憶した基準電圧とを比較する電圧比較手段とを備え、前記制御手段は、前記操作手段の音量の調整操作の入力及び前記制御手段によるモータの駆動制御が行われていないことを検出し、前記検出手段が検出したモータの駆動電圧が前記基準電圧記憶手段が記憶した基準電圧以上である場合、前記遮断手段にモータの駆動電圧を遮断させる制御を行うものである。
【発明の効果】
【００１２】
本発明の音量制御装置によれば、誤動作によって音量が増加又は減少する前に、音量の増加又は減少の誤動作を起こすモータ駆動電圧を検出することができる。
【発明を実施するための最良の形態】
【００１３】
図１は、本発明の音量制御装置の一実施例の構成を示すブロック図である。音量調整用可変抵抗器１は、音量を調整するための可変抵抗器である。モータ２は音量調整用可変抵抗器１を駆動する。駆動部３は、モータ２に駆動電圧を加える。制御部４は、マイコン回路及びそのプログラムによって構成され、駆動部３を制御する。制御部４は、駆動電圧検出部４Ａ、電圧比較部４Ｂ、基準電圧記憶部４Ｃを備える。駆動電圧検出部４Ａは、駆動部３がモータ２に加える電圧を抵抗Ｒ１、Ｒ２を介して検出する。電圧比較部４Ｂは、駆動電圧検出部４Ａが検出した駆動電圧と基準電圧記憶部４Ｃに記憶された基準電圧とを比較する。基準電圧記憶部４Ｃは、制御部４が遮断部６を制御してモータの駆動電圧を遮断するか否かを判断するための基準電圧を記憶するマイコン内のメモリである。基準電圧は、音量制御装置の使用者又は製造者が、誤動作であると判断するに適切な電圧を決めて、操作入力部５の図示しない入力キーの操作によって制御部４に入力し、基準電圧記憶部４Ｃに記憶する。
【００１４】
操作入力部５は、音量の調整操作を行うための操作ボタンを備え、操作信号を制御部４に入力する。また、操作入力部５は、遠隔操作を行うためのリモートコントローラに操作ボタンを設けて実施することもできる。操作入力部５から入力される音量を調整するための操作信号に応じて、制御部４は、駆動部３を介してモータ２を駆動し音量調整用可変抵抗器１の抵抗値を制御する。遮断部６は、トランジスタＴＲ１、ＴＲ２を備える。トランジスタＴＲ１、ＴＲ２は、それぞれ、駆動部３とモータ２とを接続する駆動信号線にコレクタが接続され、エミッタが接地されて、ベースが制御部４に接続される。制御部４は、トランジスタＴＲ１、ＴＲ２に加えるベース電圧によって、トランジスタＴＲ１、ＴＲ２をスイッチング動作させる。制御部４は、トランジスタＴＲ１、ＴＲ２のベースに電圧を加えることによって、駆動部３からモータ２に加えられる駆動電圧を遮断する。
【００１５】
制御部４は、駆動電圧検出部４Ａが検出する、駆動部３からモータ２に加えられる駆動電圧を監視する。音量制御装置が正常に動作している場合、操作入力部５から音量を調整するための操作信号が入力されたとき、制御部４は駆動部３を介してモータ２に駆動電圧を加える制御を行う。制御部４に操作入力部５から音量を調整するための操作信号が入力されず、かつ制御部４が駆動部３を介してモータ２に駆動電圧を加える制御を行っていない場合であって、電圧比較部４Ｂによる比較の結果、駆動電圧検出部４Ａが検出したモータの駆動電圧が基準電圧記憶部４Ｃに記憶された基準電圧以上である場合、制御部４は誤動作と判断する。誤動作と判断した場合、制御部４は、遮断部６を制御してモータ駆動電圧を遮断し、モータ２は停止する。
【００１６】
制御部４は、モータ２に加えられる前に駆動電圧検出部４Ａが検出した駆動電圧を基準電圧と比較して誤動作を判断する。制御部４が誤動作であると判断する電圧を、モータ２の駆動に要する最小電圧以下の電圧に設定することによって、誤動作による音量の増加又は減少が起こる前にモータ２を停止させることができる。例えば、モータ２の駆動に要する最小電圧が４Ｖであれば、０Ｖ以上又はノイズ電圧以上であって４Ｖ以下の電圧として２Ｖを基準電圧に決めて実施することができる。
従来のような音量指示位置検出用可変抵抗器の取り付けは不要になり、モータの回転に音量指示位置検出用可変抵抗器の負荷がかかることもない。
【図面の簡単な説明】
【００１７】
【図１】本発明の音量制御装置の一実施例の構成を示すブロック図である。
【図２】従来の音量制御装置の構成例を示すブロック図である。
【符号の説明】
【００１８】
１  音量調整用可変抵抗器
２  モータ
３  駆動部
４  制御部
４Ａ  駆動電圧検出部
４Ｂ  電圧比較部
４Ｃ  遮断電圧記憶部
４Ｄ  検出部
５  操作入力部
６  遮断部
７  音量指示位置検出用可変抵抗器
【図１】
2005175730.tif 000003
【図２】
2005175730.tif 000004